(57)【特許請求の範囲】
【請求項１】
管内の水を吸引する吸引部を可撓性を備えた抽水ホースの先端側に設けて、その吸引部で吸引した水を抽水ホースを通して管外に排出するように構成するとともに、
可撓性を備えた送信用ケーブルを接続してある管内撮影用のカメラを前記抽水ホースの先端側に設けて、前記カメラで撮影した画像のデータを前記送信用ケーブルを通して管外に送信するように構成し、
前記抽水ホースと前記送信用ケーブルとを、筒状に形成した抽水ホースの内側に送信用ケーブルが径方向に間隔を隔てて入り込む状態で組み付けて、ドラムに巻き取り自在及び繰り出し自在に設けてある管内抽水装置であって、
前記抽水ホースと前記送信用ケーブルの後端どうしを互いに固定すると共に、カメラヘッドを前記抽水ホースの先端部に一体固定することにより、前記抽水ホースと前記送信用ケーブルの先端どうしを互いに固定し、
前記抽水ホースと前記送信用ケーブルとを、それらの固定箇所間において、外側に組み付けてある抽水ホースの長さが、その内側に組み付けてある送信用ケーブルの長さよりも短くなるように組み付けて、送信用ケーブルに弛みを持たせてある管内抽水装置。
【請求項２】
前記抽水ホースを樹脂成形してある請求項１記載の管内抽水装置。
【発明の詳細な説明】
【０００１】
【発明の属する技術分野】
本発明は、管内の水を吸引する吸引部を可撓性を備えた抽水ホースの先端側に設けて、その吸引部で吸引した水を抽水ホースを通して管外に排出するように構成するとともに、可撓性を備えた送信用ケーブルを接続してある管内撮影用のカメラを前記抽水ホースの先端側に設けて、前記カメラで撮影した画像のデータを前記送信用ケーブルを通して管外に送信するように構成し、前記抽水ホースと前記送信用ケーブルとを、筒状に形成した抽水ホースの内側に送信用ケーブルが径方向に間隔を隔てて入り込む状態で組み付けて、ドラムに巻き取り自在及び繰り出し自在に設けてある管内抽水装置に関する。
【０００２】
【従来の技術】
上記管内抽水装置は、管内に挿入したカメラによる画像からその管内に溜まった水を探しながら、同時に吸引部を移動させて、溜まった水を見つけるとその水を吸引部で吸引し、抽水ホースを通して管外に能率良く排出できるようにしたものである。
図９は、従来の管内抽水装置を示し、管Ａ内の水を吸引する吸引部１を可撓性を備えた抽水ホース２の先端側に設けて、その吸引部１で吸引した水を抽水ホース２を通して管外に排出するように構成するとともに、可撓性を備えた送信用ケーブル５を接続してある管内撮影用のカメラ６を吸引部１の前方に設けて、カメラ６で撮影した画像のデータを送信用ケーブル５を通して管外に送信するように構成し、抽水ホース２と送信用ケーブル５とを管内に能率良く一体に挿入できるように、抽水ホース２の内側に送信用ケーブル５が径方向に間隔を隔てて入り込む状態で組み付けてある。
そして、抽水ホース２と送信用ケーブル５とをドラムに容易に巻き取って簡便に運搬できるように、送信用ケーブル５の先端側を吸引部１に対して貫通状態で挿通して、抽水ホース２のドラムへの巻き取りに伴って送信用ケーブル５の先端側が抽水ホース２の内側に引き込まれたり、ドラムからの繰り出しに伴って送信用ケーブル５の先端側が吸引部１の前方に押し出されるように装着している。
つまり、同じ長さの抽水ホース２と送信用ケーブル５とを長手方向に離れた複数箇所で互いに固定してある状態で組み付けると、固定箇所間では送信用ケーブル５の伸びと抽水ホース２の伸びとが互いに拘束されるのでドラムへの巻き付け形状になるように両者を変形させにくく、従って、ドラムに巻き取りにくいので、抽水ホース２と送信用ケーブル５とを長手方向に沿って互いに相対移動できるように、送信用ケーブル５の先端側を吸引部１に対して貫通状態で挿通して、ドラムに容易に巻き取れるようにしてある。
【０００３】
【発明が解決しようとする課題】
この為、送信用ケーブルを接続してあるカメラと吸引部との相対位置が抽水ホース２のドラムからの繰り出し量に応じて変動するので、溜まった水を撮影したときのカメラと吸引部との相対間隔を把握しにくく、吸引部をその水の位置に的確に移動させにくい欠点がある。
本発明は上記実情に鑑みてなされたものであって、抽水ホースと送信用ケーブルとを管内に能率良く一体に挿入でき、しかも、ドラムに容易に巻き取れるように組み付けながら、ドラムからの繰り出し量にかかわらず、カメラで探し出した水の位置に吸引部を的確に移動させることができるようにすることを目的とする。
【０００４】
【課題を解決するための手段】
請求項１記載の発明の特徴構成は、管内の水を吸引する吸引部を可撓性を備えた抽水ホースの先端側に設けて、その吸引部で吸引した水を抽水ホースを通して管外に排出するように構成するとともに、可撓性を備えた送信用ケーブルを接続してある管内撮影用のカメラを前記抽水ホースの先端側に設けて、前記カメラで撮影した画像のデータを前記送信用ケーブルを通して管外に送信するように構成し、前記抽水ホースと前記送信用ケーブルとを、筒状に形成した抽水ホースの内側に送信用ケーブルが径方向に間隔を隔てて入り込む状態で組み付けて、ドラムに巻き取り自在及び繰り出し自在に設けてある管内抽水装置であって、前記抽水ホースと前記送信用ケーブルの後端どうしを互いに固定すると共に、カメラヘッドを前記抽水ホースの先端部に一体固定することにより、前記抽水ホースと前記送信用ケーブルの先端どうしを互いに固定し、前記抽水ホースと前記送信用ケーブルとを、それらの固定箇所間において、外側に組み付けてある抽水ホースの長さが、その内側に組み付けてある送信用ケーブルの長さよりも短くなるように組み付けて、送信用ケーブルに弛みを持たせてある点にある。
〔作用〕  固定箇所間の抽水ホースと送信用ケーブルとをドラムに巻き付けると、内側に
組み付けてある送信用ケーブルが、外側に組み付けてある抽水ホースに対して、抽水ホースと送信用ケーブルとの長さの差だけ、相対移動できるので、ドラムに容易に巻き取れる。
そして、抽水ホースと送信用ケーブルのドラムからの繰り出し量にかかわらず、送信用ケーブルを接続してあるカメラと吸引部との相対位置を一定に維持でき、溜まった水を撮影したときのカメラと吸引部との相対間隔を予め把握し易い。
〔効果〕  抽水ホースと送信用ケーブルとを管内に能率良く一体に挿入でき、しかも、ドラムに容易に巻き取れるように組み付けながら、ドラムからの繰り出し量にかかわらず、カメラと吸引部との相対間隔が一定で、カメラで探し出した水の位置に吸引部を精度良く的確に移動させることができる。
【０００５】
【０００６】
また、送信用ケーブルが管内面に直に接当したり擦られたりしないように、送信用ケーブルを抽水ホースで保護して、送信用ケーブルの耐久性を高めることができる。
【０００７】
請求項２記載の発明の特徴構成は、前記抽水ホースを樹脂成形してある点にある。
〔作用〕  金属製の抽水ホースに比べて、屈曲した管内に挿入し易いように、適度な弾性と可撓性を備えた抽水ホースを製造し易く、また、軽量化を図ることができる。
〔効果〕  屈曲した管内に溜まった水でも管外に排出し易い。
【０００８】
【発明の実施の形態】
以下に本発明の実施の形態を図面に基づいて説明する。尚、図面において従来例と同一の符号で表示した部分は、同一又は相当の部分を示している。
〔第１実施形態〕
図１は、土中に埋設してある都市ガス供給管Ａ内に溜まった水Ｗを管外に排出する管内抽水装置を示し、管内の水Ｗを吸引する吸引部１を先端側に接続してある可撓性を備えた抽水ホース２をドラム３から繰り出して、ガス供給管Ａの途中に接続してある分岐継手４から管内に挿入し、管内に溜まった水Ｗに吸引部１を入り込ませて、吸引ポンプＰの駆動で抽水ホース２を通して地上側の管外に排出するように構成してあり、抽水ホース２はポリエチレン樹脂で成形してある。
前記抽水ホース２の先端部には、図２に示すように、送信用ケーブル５を接続してある管内撮影用のＣＣＤカメラ６を設けたカメラヘッド７を固定してあり、抽水ホース２の後端側は、図６に示すように、ドラム３に接続した排水管１０に連通接続してある。
そして、ＣＣＤカメラ６で撮影した画像のデータを送信用ケーブル５を通してモニターテレビ８を備えた検査ユニット９に送信して、モニターテレビ８に映し出した画像で管内に溜まった水Ｗの有無を監視しながら、抽水ホース２を管内に挿入し、溜まった水Ｗを見つけると、その水Ｗを吸引部１で吸引して、管外に排出するように構成してある。
【０００９】
前記カメラヘッド７は、ＣＣＤカメラ６を一体固定してある半球形状の先端金物１１を筒状金物１２にネジ止めして構成してあり、筒状金物１２と抽水ホース２とをリング状の固定金物１３で水密に締め付け固定してある。
前記先端金物１１は、図３に示すように、ＣＣＤカメラ６を前方に臨ませる窓孔１４と、吸引部１と抽水ホース２とを連通接続する抽水管１５の挿通孔１６とを備え、四個の投光用小型ランプ１７をその前面に取り付けてある。
前記筒状金物１２の内側に、抽水ホース２内の水の侵入を阻止する止水板１８を設けて空間を形成し、図４に示すように、挿通孔１６に水密状態で挿通した抽水管１５の後端側をこの止水板１８に水密状態で貫通させるとともに、送信用ケーブル５を止水板１８に水
密状態で貫通させてある。
前記送信用ケーブル５は、図５に示すように、給電用ケーブル１９とともに軟質樹脂製の筒状被覆材２０の内側に水密に収容してあり、抽水ホース２と送信用ケーブル５は、抽水ホース２の内側に送信用ケーブル５が筒状被覆材２０ごと径方向に間隔を隔てて入り込む状態で組み付けてある。
【００１０】
前記ドラム３は、図６に示すように、左右両側に鍔２１を固定してある回転筒２２を架台２３に回転自在に支持して、その回転筒２２に抽水ホース２を巻き取り自在及び繰り出し自在に設けてある。
前記抽水ホース２と排水管１０とを接続する接続管２４を回転筒２２の内側に配管し、この接続管２４の一端側に抽水ホース２を連通接続するとともに、接続管２４の他端側に排水管１０を相対回転自在に連通接続して、抽水ホース２の後端側を排水管１０に連通接続してある。
また、送信用ケーブル５と給電用ケーブル１９とを筒状被覆材２０ごと接続管２４の途中箇所から回転筒２２の内側に引き出して、送信用ケーブル５と給電用ケーブル１９とを、ドラム３側に固定した接続用端子２５に接続してある。
前記検査ユニット９は、モニターテレビ８の他に、抽水ホース２のドラム３からの繰り出し量を調整操作する操作部２６と電源装置２７とを備え、この検査ユニット９と接続用端子２５とを接続ケーブル２８で接続してある。
尚、ドラム３の回転にかかわらず接続ケーブル２８が強くねじれることがないように、充分長い接続ケーブル２８で検査ユニット９と接続用端子２５とを接続してある。
【００１１】
従って、抽水ホース２と送信用ケーブル５は、その先端側どうしをカメラヘッド７を介して互いに固定するとともに、その後端側どうしをドラム３を介して互いに固定して、長手方向に離れた２箇所で互いに固定してあり、抽水ホース２と送信用ケーブル５とを、それらの固定箇所間において、外側に組み付けてある抽水ホース２の長さが、その内側に組み付けてある送信用ケーブル５の長さよりも短くなるように、送信用ケーブル５に充分な弛みを持たせて組み付けて、ドラム３に容易に巻き取れるようにしてある。
【００１２】
〔第２実施形態〕
図８は、抽水ホース２と送信用ケーブル５を、筒状に形成してある送信用ケーブル５の内側に抽水ホース２が径方向に間隔を隔てて入り込む状態で組み付けてある実施形態を示し、送信用ケーブル５は、可撓性を備えた保護用の外装管２９に径方向に間隔を隔てて挿入してある。
前記送信用ケーブル５は、硬質樹脂製の可撓性を備えた筒状被覆材３０にデータ送信用の導線３１を埋め込んで構成してあり、この筒状被覆材３０には、データ送信用の導線３１の他に、給電用等の電線３１を埋め込んである。
そして、抽水ホース２と送信用ケーブル５の先端側どうしを互いに固定するとともに、その後端側どうしを互いに固定し、抽水ホース２と送信用ケーブル５とを、それらの固定箇所間において、外側に組み付けてある送信用ケーブル５の長さが、その内側に組み付けてある抽水ホース２の長さよりも短くなるように、抽水ホース２に充分な弛みを持たせて組み付けて、ドラム３に容易に巻き取れるようにしてある。
【００１３】
〔その他の実施形態〕
１．本発明による管内抽水装置は、抽水ホースと送信用ケーブルとを、それらの端部以外の途中箇所で互いに固定してあっても良い。
２．本発明による管内抽水装置は、内側に組み付ける送信用ケーブル又は抽水ホースを螺旋状に形成して、それらの固定箇所間において、外側に組み付けてある一方の長さが、その内側に組み付けてある他方の長さよりも短くなるように組み付けてあっても良い。
３．本発明による管内抽水装置は、吸引部を抽水ホースの先端側に一体に設けてあっても
良い。
４．本発明による管内抽水装置は、吸引部を抽水ホースの先端側に対して上下揺動自在に設けてあっても良い。
５．本発明による管内抽水装置は、実施形態で示した吸引部１と抽水管１５とを一体形成して、カメラヘッド７に対して着脱自在に設けてあっても良い。
６．本発明による管内抽水装置は、実施形態で示した抽水管１５の先端側管壁に多数の吸引用の孔を形成して吸引部を構成し、その抽水管１５の先端部に、エルボなどの曲り管内を通過する管内抽水装置の進行方向を案内する為の球状体を上下左右に揺動自在に設けてあっても良い。
７．本発明による管内抽水装置は、送信用ケーブルとしての画像転送用の光ファイバー束の先端部にレンズを設けてある画像取り込み用ヘッドを管内撮影用のカメラとして設けてあっても良い。
８．本発明による管内抽水装置は、バッテリーで駆動するカメラを設けてあっても良い。９．本発明による管内抽水装置は、都市ガス供給管以外の各種管内の水を抽水するものであっても良い。
【図面の簡単な説明】
【図１】  管内抽水装置の概略側面図
【図２】  要部の断面図
【図３】  要部の正面図
【図４】  要部の断面図
【図５】  要部の断面図
【図６】  要部の平面図
【図７】  要部の一部断面図
【図８】  第２実施形態を示す要部の断面図
【図９】  従来の管内抽水装置の要部側面図
【符号の説明】
１    吸引部
２    抽水ホース
３    ドラム
５    送信用ケーブル
６    カメラ
７    カメラヘッド
Ａ    管
【図１】
0004259669.tif 000002
【図２】
0004259669.tif 000003
【図３】
0004259669.tif 000004
【図４】
0004259669.tif 000005
【図５】
0004259669.tif 000006
【図６】
0004259669.tif 000007
【図７】
0004259669.tif 000008
【図８】
0004259669.tif 000009
【図９】
0004259669.tif 000010